(57)【要約】【課題】蒸れを防止しながら遮光効果が高く、冷却機能を有する日除け具とこれに適した日除け用シートを提供できるようにすることを目的とするものである。【解決手段】日除け用シートは、アルミ蒸着したフラットヤーンを引き揃えた表面反射面部と、通気性を有する通気裏面部とをシート状に保形しするとともに、日除け具は、首筋を覆う覆い部材と、覆い部材に連結された吸湿放熱部材とを備え、覆い部材は反射機能を有する反射表面部と通気裏面部とからなり、吸湿放熱部材はその一端側部分が覆い部材に取付けられ、他端側部分が頭部保護部材に挿入可能に構成した。【選択図】    図１
2004315988.tif 000002
【特許請求の範囲】
【請求項１】
アルミ蒸着したフラットヤーンを引き揃えた表面反射面部と、通気性を有する通気裏面部とをシート状に保形して形成したことを特徴とする日除け用シート。
【請求項２】
頭部保護部材に装着されて使用される日除け具であって、首筋を覆う覆い部材と、覆い部材に連結された吸湿放熱部材とを備え、覆い部材は反射機能を有する反射表面部と通気裏面部とからなる日除け用シートであって、吸湿放熱部材はその一端側部分が覆い部材に配設され、他端側部分が頭部保護部材に挿入可能に構成したことを特徴とする日除け具。
【請求項３】
吸湿放熱部材が覆い部材から着脱可能に取付けてある請求項２に記載の日除け具。
【発明の詳細な説明】
【０００１】
【発明の属する技術分野】
本発明は野外の作業等を行なう時に行なう時に使用される日除け具並びに日除け具に最適な日除け用シートに関するものである。
【０００２】
【従来の技術】
一般に、交通整理や工事現場、家庭菜園や野良仕事等、野外の作業時に直射日光、特に紫外線から肌等を守る場合、ヘルメットや帽子を被ったり、首筋には手ぬぐいを巻きつけたりしている。
【０００３】
【発明が解決しようとする課題】
上記ヘルメットや帽子を使用する場合、ヘルメットや帽子内が蒸れて熱くなり、肌を傷めるだけでなく、体温の上昇を招き、体力を消耗させたりする問題があるだけでなく、首筋が露出していることからこの首筋部分に直射日光があたり熱くなるとこの熱は頭部に伝えられて上記のような体温の上昇を招く。
一方、首筋部分に直射日光があたるのを防止するために首筋に手ぬぐい等を巻付ける場合には汗で蒸れたりしてしまうという問題があった。
そこで、こうした問題に対処するために、帽子の周縁部に複数に分割した日除けを着脱可能に取付けるようにしたものが提案されている（例えば特許文献１参照。）。
【０００４】
【特許文献１】特開２００２−８８５５５
【０００５】
ところがこうしたものでは、帽子内の蒸れは解消されていないだけでなく、分割体の隙間から日が差し込むことから充分な遮光効果を得られないという問題があった。
本発明は上記問題点に鑑み提案されたもので、蒸れを防止しながら遮光効果が高く、冷却機能を有する日除け具を提供できるようにすることを目的とするものである。
【０００６】
【課題を解決するための手段】
上記目的を達成するために本発明にかかる日除け用シートは、アルミ蒸着したフラットヤーンを引き揃えた表面反射面部と、通気性を有する通気裏面部とをシート状に保形して形成したことを特徴とするものである。
【０００７】
次に、本発明にかかる日除け具は、頭部保護部材に装着されて使用される日除け具であって、首筋を覆う覆い部材と、覆い部材に連結された吸湿放熱部材とを備え、覆い部材は反射機能を有する反射表面部と通気裏面部とからなる日除け用シートであって、吸湿放熱部材はその一端側部分が覆い部材に配設され、他端側部分が頭部保護部材に挿入可能に構成したことを特徴とするものである。
【０００８】
また、本発明にかかる日除け具では、吸湿放熱部材が覆い部材から着脱可能に取付ける用にしたことも特徴とするものである。
【０００９】
【発明の実施の形態】
以下、本発明にかかる日除け用シート並びにこれを用いた日除け具の好ましい実施の形態を図面に基づいて説明する。
図１は本発明にかかる日除け具の分解斜視図、図２は日除け具をヘルメットに装着した状態の縦断側面図であって、図中符号１はこの日除け具を全体的に示す。
この日除け具１は例えば炎天下の工事現場で作業するときにヘルメット（頭部保護部材）２に装着して使用されるもので、首筋を覆う覆い部材３と、覆い部材３に上端部分が連結された吸湿放熱部材４とを備えてなる。
【００１０】
覆い部材３は後述するように、表面側に反射機能を有する反射表面部５と裏面側には通気裏面部６とが一体に形成された日除け用シートＳからなり、上端部にはこの覆い部材３をヘルメット２に取付けるための装着手段７が設けられている。
装着手段７は、両端部分８ａ・８ａを覆い部材３の端縁部分に連結されたゴム紐からなる線状部材８と、線状部材８の略中央部分に設けられたクリップ状の掛止具１０とからなる。
尚、装着手段７は上記の構成にかぎられず、縛り用の紐にしたりベルベットクロス式ファスナやホック、あるいは接着剤等でヘルメット２に直接貼着するようにすることができるのは勿論である。
【００１１】
上記覆い部材３の反射機能を有する反射表面部５と裏面側の通気裏面部６とからなる日除け用シートＳは、図３に示すように形成されている。
先ず、反射表面部５は、ポリエチレンの扁平な繊維であるフラットヤーンの表面部分にアルミ蒸着を施して表面を反射鏡面状の繊維素材１１を形成したものである。
次に、裏面は白色のポリエチレン繊維１２で形成されている。
上記のように形成された繊維素材１１を表面側に、ポリエステル繊維１２を裏面側にそれぞれ引き揃えた状態でナイロンテグス等の糸で連結することにより、日除け用シートＳが形成され、これを裁断して覆い部材３が形成される。
また、覆い部材３は図４に示すようにその中央部が凹入した形状に形成され、周縁部は解れ止めを兼ねる滑り止め用のテープ１３が端縁部に縫着されている。
【００１２】
上記吸湿放熱部材４は、ポリアクリル酸ナトリウム塩を主成分とするポリマーを直接紡糸し、繊維形状化させた高吸水，高吸湿繊維（例えばカネボウ合繊株式会社登録商標ベルオアシス）をパイル織した素材１４で帯状に形成したもので、上記覆い部材３とはその一端部がベルベットクロス式ファスナ９で着脱可能には連結されており、その長さは図２に示すように折り返された時に、頭部１５に装着したヘルメット２の内部の前方、即ち額部分まで届く長さとなっている。
【００１３】
上記のように形成された日除け用シートＳからなる覆い部材３を使用する手順を次に説明する。
先ず、吸湿放熱部材４を覆い部材３から分離して水に濡らし、適度に絞った後に覆い部材に取付ける。
そして、装着手段７の掛止具１０をヘルメット２のひさし部分２ａに掛止させ、覆い部材３部分をヘルメット２の後部周縁部分に沿わせた状態に装着する。
すると、覆い部材３の上周縁部の中央部分が凹入されていることから、ヘルメット２の後部周縁部分に装着された覆い部材３は図２及び図３に示すように斜め下向きになる。
【００１４】
このとき、覆い部材３の端縁部には解れ止めを兼ねる滑り止め用のテープ１３が設けてあることから、この滑り止め用のテープ１３によりヘルメット２を装着した作業者の激しい動きにも覆い部材３がヘルメット２からずれたり外れたりすることがない。
次に、吸湿放熱部材４を額部分に届くようにヘルメット２の内部に折り返し、この状態でヘルメット２を被る。
すると、覆い部材３の上周縁部の中央部分が凹入され、ヘルメット２の後部周縁部分に装着された覆い部材３が斜め下向きになっていることから、この覆い部材３が首筋部分にまとわりつかず、通気性を保持しながら表面側の反射表面部５で直射日光を遮り、首筋部分を恰も木陰のような環境にする。
【００１５】
一方、ヘルメット２内で頭部から発散する汗や湿気は頭皮に面している吸湿放熱部材４に吸収され、蒸れのない状態に保つとともに、予め濡らした水分に加えて吸湿放熱部材４に吸収された汗等の水分がヘルメット２との空間部分１６を通じて外部に蒸散されるときに気化熱を奪うため、ヘルメット２内の温度が低下する。
因みに、本発明の覆い部材３素装着した場合、その遮光率が８０％で首筋部分の温度が未使用時に３６℃であったものが３１℃弱にまで低下させられたのである。
尚、上記実施の形態では、日除け具１をヘルメット３に装着するようにしてあるが、こうしたものに限られず、帽子やサンバイザに装着することも可能であることはいうまでもないことである。
【００１６】
また、上記実施の形態では、吸湿放熱部材４を覆い部材３から分離可能としてあるが、吸湿放熱部材４の端部を覆い部材３に縫着等により分離不能にしても良いことは勿論である。
くわえて、上記実施の形態では、吸湿放熱部材４をヘルメット２内に折り返して使用するようにしてあるが、吸湿放熱部材４を首筋に当接させたり巻きつけたりして使用することも可能であり、こうした場合には首筋を一段と強力に冷却することができる。
【００１７】
【発明の効果】
以上に説明したように、本発明にかかる日除け用シートは、アルミ蒸着したフラットヤーンを引き揃えた表面反射面部と、通気性を有する通気裏面部とをシート状に保形して形成するようにしてあるので、例えば手拭やタオル等の日除け用シートに比べて遮光性及び通気性が高く、蒸れや昇温を効果的に帽子できる。
【００１８】
また、上記日除け用シートを用いた日除け具は、首筋を覆う覆い部材と、覆い部材に連結された吸湿放熱部材とを備え、覆い部材は反射機能を有する反射表面部と通気裏面部とを備えるようにしてあるので、この覆い部材が通気性を保ちながら、その反射表面部で直射日光を遮る。これにより、首筋を直射日光から保護でき、当該部分を保護できる。
【００１９】
更に、吸湿放熱部材はその一端側部分が覆い部材に取付けられ、他端側部分が頭部保護部材に挿入可能に構成してあるので、この吸湿放熱部材が頭部から発散される汗等を吸収して湿気をとり、乾燥した状態に保つとともに、吸湿放熱部材に吸収された水分が蒸発するとき気化熱を奪うので、冷却効果があり当該部分をクールに保つことができる利点もある。
【図面の簡単な説明】
【図１】は本発明にかかる日除け具の分解斜視図である。
【図２】は日除け具をヘルメットに装着した状態の縦断側面図である。
【図３】は覆い部材を構成する日除け用シートの組織を示す一部切り欠き正面図である。
【図４】は覆い部材の展開図である。
【図５】は使用状態の側面図である。
【符号の説明】
１・・・日除け具
２・・・頭部保護部材
３・・・日除け部材
４・・・吸湿放熱部材
５・・・反射表面部
６・・・通気裏面部
Ｓ・・・日除け用シート
【図１】
2004315988.tif 000003
【図２】
2004315988.tif 000004
【図３】
2004315988.tif 000005
【図４】
2004315988.tif 000006
【図５】
2004315988.tif 000007